(57)【要約】【課題】同一人の複数形式の名前をユーザーインターフェースにスペース効率良く表記する方法および電子機器する。【解決手段】電子機器のユーザーインターフェースに人名を表記するにあたり、同一の人名を同一表記欄の複数の区画（３１２，３１４，３１６）に複数の形式でそれぞれ表記する。複数の区画は、そのうちの１つ（３１２）が他よりも大きい。１つの区画では、文字の入力および編集が可能である。複数の区画の表記は、区画を跨いでスクロール可能である。他の区画（３１４，３１６）は、拡大可能である。拡大された区画では、文字の入力および編集が可能ある。複数の形式は、漢字形式、かな形式およびアルファベット形式である。ユーザーインターフェースは、ＤＩＣＯＭ規格に準拠する。複数の形式の人名は、ＤＩＣＯＭ規格に準拠したネームストリングを構成する。電子機器は、超音波診断装置である。【選択図】図４
2007275335.tif 000002
【特許請求の範囲】
【請求項１】
電子機器のユーザーインターフェースに人名を表記する方法であって、
同一の人名を同一表記欄の複数の区画に複数の形式でそれぞれ表記する、
ことを特徴とする人名表記方法。
【請求項２】
前記複数の区画は、そのうちの１つが他よりも大きい、
ことを特徴とする請求項１に記載の人名表記方法。
【請求項３】
前記１つの区画では、文字の入力および編集が可能である、
ことを特徴とする請求項２に記載の人名表記方法。
【請求項４】
前記複数の区画の表記は、区画を跨いでスクロール可能である、
ことを特徴とする請求項２または請求項３に記載の人名表記方法。
【請求項５】
前記他の区画は、拡大可能である、
ことを特徴とする請求項１に記載の人名表記方法。
【請求項６】
前記拡大された区画では、文字の入力および編集が可能ある、
ことを特徴とする請求項５に記載の人名表記方法。
【請求項７】
前記複数の形式は、漢字形式、かな形式およびアルファベット形式である、
ことを特徴とする請求項１ないし請求項６のうちのいずれか１つに記載の人名表記方法。
【請求項８】
前記ユーザーインターフェースは、ＤＩＣＯＭ規格に準拠する、
ことを特徴とする請求項１ないし請求項７のうちのいずれか１つに記載の人名表記方法。
【請求項９】
前記複数の形式の人名は、ＤＩＣＯＭ規格に準拠したネームストリングを構成する、
ことを特徴とする請求項８に記載の人名表記方法。
【請求項１０】
前記電子機器は、超音波診断装置である、
ことを特徴とする請求項１ないし請求項９のうちのいずれか１つに記載の人名表記方法。
【請求項１１】
人名を表記するユーザーインターフェースを有する電子機器であって、
前記インターフェースは、同一の人名を同一表記欄の複数の区画に複数の形式でそれぞれ表記する表記手段
を具備することを特徴とする電子機器。
【請求項１２】
前記複数の区画は、そのうちの１つが他よりも大きい、
ことを特徴とする請求項１に記載の電子機器。
【請求項１３】
前記１つの区画では、文字の入力および編集が可能である、
ことを特徴とする請求項１２に記載の電子機器。
【請求項１４】
前記複数の区画の表記は、区画を跨いでスクロール可能である、
ことを特徴とする請求項１２または請求項１３に記載の電子機器。
【請求項１５】
前記他の区画は、拡大可能である、
ことを特徴とする請求項１１に記載の電子機器。
【請求項１６】
前記拡大された区画では、文字の入力および編集が可能ある、
ことを特徴とする請求項１５に記載の電子機器。
【請求項１７】
前記複数の形式は、漢字形式、かな形式およびアルファベット形式である、
ことを特徴とする請求項１１ないし請求項１６のうちのいずれか１つに記載の電子機器。
【請求項１８】
前記ユーザーインターフェースは、ＤＩＣＯＭ規格に準拠する、
ことを特徴とする請求項１１ないし請求項１７のうちのいずれか１つに記載の電子機器。
【請求項１９】
前記複数の形式の人名は、ＤＩＣＯＭ規格に準拠したネームストリングを構成する、
ことを特徴とする請求項１８に記載の電子機器。
【請求項２０】
前記電子機器は、超音波診断装置である、
ことを特徴とする請求項１１ないし請求項１９のうちのいずれか１つに記載の電子機器。
【発明の詳細な説明】
【技術分野】
【０００１】
本発明は、人名表記方法および電子機器に関し、特に、電子機器のユーザーインターフェース(user interface)に人名を表記する方法、および、人名を表記するユーザーインターフェースを有する電子機器に関する。
【背景技術】
【０００２】
例えば超音波診断装置等の医用電子機器では、ユーザーインターフェースを通じて種々の情報の入力や表示が行われる。入力／表示される情報には患者情報が含まれる。患者情報には患者の姓名が含まれる（例えば、特許文献１参照）。
【特許文献１】特開２００５−２７８７４１号公報
【発明の開示】
【発明が解決しようとする課題】
【０００３】
日本国では、人名の表記には漢字形式、かな形式およびアルファベット(alphabet)形式の三つの形式があり、ユーザーインターフェースが対応可能な形式で表記される。ユーザーインターフェースが全ての形式に対応可能な場合は、人名は三通りに表記される。
【０００４】
その場合、それぞれの形式に対応した表記欄が必要になるので、ユーザーインターフェース上の占有面積が大きくなる。この面積は、数ある情報のうちの１つに過ぎない人名用としては不釣合いに大きい。
【０００５】
そこで、本発明の課題は、同一人の複数形式の名前をユーザーインターフェースにスペース効率良く表記する方法および電子機器することである。なお、本書において、表記は入力と表示のどちらをも意味する。
【課題を解決するための手段】
【０００６】
上記の課題を解決するためのひとつの観点での発明は、電子機器のユーザーインターフェースに人名を表記する方法であって、同一の人名を同一表記欄の複数の区画に複数の形式でそれぞれ表記する、ことを特徴とする人名表記方法である。
【０００７】
上記の課題を解決するための他の観点での発明は、人名を表記するユーザーインターフェースを有する電子機器であって、前記インターフェースは、同一の人名を同一表記欄の複数の区画に複数の形式でそれぞれ表記する表記手段を具備することを特徴とする電子機器である。
【０００８】
前記複数の区画は、そのうちの１つが他よりも大きいことが、主要な表記を明確にする点で好ましい。
前記１つの区画では、文字の入力および編集が可能であることが、利便性を高める点で好ましい。
【０００９】
前記複数の区画の表記は、区画を跨いでスクロール可能であることが、主要な表記を切り替える点で好ましい。
前記他の区画は、拡大可能であることが、視認性を良くする点で好ましい。
【００１０】
前記拡大された区画では、文字の入力および編集が可能あることが、利便性を高める点で好ましい。
前記複数の形式は、漢字形式、かな形式およびアルファベット形式であることが、日本国での利便性を高める点で好ましい。
【００１１】
前記ユーザーインターフェースは、ＤＩＣＯＭ規格に準拠することが、ＤＩＣＯＭ規格に準拠する他の機器との協調性を高める点で好ましい。
前記複数の形式の人名は、ＤＩＣＯＭ規格に準拠したネームストリングを構成することが、ＤＩＣＯＭ規格への適合性を良くする点で好ましい。
【００１２】
前記電子機器は、超音波診断装置であることが、患者名表記の利便性を高める点で好ましい。
【発明の効果】
【００１３】
本発明によれば、電子機器のユーザーインターフェースに人名を表記するにあたり、同一の人名を同一表記欄の複数の区画に複数の形式でそれぞれ表記するので、同一人の複数形式の名前をユーザーインターフェースにスペース効率良く表記する方法および電子機器することができる。
【発明を実施するための最良の形態】
【００１４】
以下、図面を参照して発明を実施するための最良の形態を詳細に説明する。なお、本発明は、発明を実施するための最良の形態に限定されるものではない。図１に超音波診断装置１００のブロック(block)図を示す。本装置は、発明を実施するための最良の形態の一例である。本装置の構成によって、電子機器に関する発明を実施するための最良の形態の一例が示される。本装置の動作によって、人名表記方法に関する発明を実施するための最良の形態の一例が示される。
【００１５】
図１に示すように、本装置は、超音波プローブ２(probe)を有する。超音波プローブ２は、超音波トランスデューサ(transducer)のアレイ(array)を有する。アレイにおける個々の超音波トランスデューサは例えばＰＺＴ（チタン(Ti)酸ジルコン(Zr)酸鉛）セラミックス(ceramics)等の圧電材料によって構成される。超音波プローブ２は、操作者により被検体４に当接して使用される。
【００１６】
超音波プローブ２は送受信部６に接続されている。送受信部６は、超音波プローブ２に駆動信号を与えて超音波を送波させる。送受信部６はまた超音波プローブ２が受波したエコー（ｅｃｈｏ）信号を受信する。
【００１７】
超音波の送受信は、音線によって撮影範囲を走査しながら行われる。音線は超音波ビーム(beam)で構成される。音線走査は、セクタスキャン(sector scan)、コンベックススキャン(convex scan)、リニアスキャン(linear scan)等によって行われる。
【００１８】
送受信部６はＢモード(mode)処理部１０およびドプラ(Doppler)処理部１２に接続されている。送受信部６から出力される音線ごとのエコー受信信号は、Ｂモード処理部１０およびドプラ処理部１２に入力される。
【００１９】
Ｂモード処理部１０はＢモード画像を形成するものである。Ｂモード処理部１０は、音線上の個々の反射点でのエコーの強度を表す信号を得て、この信号の各瞬時の振幅をそれぞれ輝度値としてＢモード画像を形成する。
【００２０】
ドプラ処理部１２はドプラ画像を形成するものである。ドプラ処理部１２は、エコー受信信号を直交検波したＩ，Ｑ信号をＭＴＩ(Moving Target Indication)処理してエコーの複素ドプラ信号を求め、複素ドプラ信号に関する所定の演算により音線ごとにドプラ画像を形成する。
【００２１】
ドプラ画像は、カラードプラ(color Doppler)画像またはパワードプラ(power Doppler)画像として形成される。カラードプラ画像は流速分布を表す。パワードプラ画像はドプラ信号のパワー分布を表す。
【００２２】
Ｂモード処理部１０およびドプラ処理部１２は画像処理部１４に接続されている。画像処理部１４は、Ｂモード処理部１０およびドプラ処理部１２からそれぞれ入力される画像データに基づいて表示用の画像を生成する。
【００２３】
Ｂモード画像は色相を持たない輝度画像として生成される。カラードプラ画像およびパワードプラ画像はいずれもカラー画像として生成される。カラードプラ画像は、速度の大きさを色の輝度で表し、速度の方向を色相で表す。パワードプラ画像は、パワーの大きさを色の輝度で表す。
【００２４】
画像処理部１４は、図２に示すように、バス(bus)１４０によって接続された入力データメモリ(data memory)１４２、ディジタル・スキャンコンバータ(digital scan converter)１４４、画像メモリ１４６およびプロセッサ(processor)１４８を備えている。
【００２５】
Ｂモード処理部１０およびドプラ処理部１２から音線ごとに入力されたＢモード画像およびドプラ画像は、入力データメモリ１４２にそれぞれ記憶される。入力データメモリ１４２に記憶されるデータを音線データとも呼ばれる。音線データは、ディジタル・スキャンコンバータ１４４で走査変換されて画像メモリ１４６に記憶される。画像メモリ１４６に記憶されるデータを画像データとも呼ばれる。
【００２６】
プロセッサ１４８は、画像処理部１４の中枢として、音線データおよび画像データの処理、入力データメモリ１４２と画像メモリ１４６の読み書き、ディジタル・スキャンコンバータ１４４の制御等を行う。
【００２７】
画像処理部１４には表示部１６が接続されている。表示部１６は、画像処理部１４の画像メモリ１４６から画像信号が与えられ、それに基づいて画像を表示する。表示部１６は、カラー画像が表示可能なグラフィックディスプレイ(graphic display)によって構成される。
【００２８】
以上の送受信部６、Ｂモード処理部１０、ドプラ処理部１２、画像処理部１４および表示部１６には制御部１８が接続されている。制御部１８は、それら各部に制御信号を与えてその動作を制御する。また、被制御の各部から各種の報知信号が入力される。制御部１８の制御の下で、Ｂモード撮影動作およびドプラモード撮影動作が実行される。
【００２９】
制御部１８には操作部２０が接続されている。操作部２０は操作者によって操作され、制御部１８に各種の指令や情報を入力する。操作部２０は、例えば、キーボード(keyboard)やポインティングデバイス(pointing device)およびその他の操作具を備えた操作パネル(panel)として構成される。
【００３０】
図３に、表示部１６に表示される画面の一例を示す。この画面は、ユーザーインターフェースである。このユーザーインターフェースは、本発明におけるユーザーインターフェースの一例である。
【００３１】
図３に示すように、ユーザーインターフェースは、画面の最上段に人名表記欄３００を有する。人名表記欄３００は患者名の表記欄である。人名表記欄３００は、本発明における表記欄の一例である。人名表記欄３００は、また、本発明における表記手段の一例である。
【００３２】
図４に、人名表記欄３００の構成を示す。図４に示すように、人名表記欄３００は、３つの区画３１２，３１４，３１６を有する。区画３１２，３１４，３１６は、本発明における区画の一例である。
【００３３】
３つの区画３１２，３１４，３１６は、いずれも水平な帯状の区画であり、縦方向に３段に配置されている。区画３１２，３１４，３１６は、また、いずれも縦に３区分されている。
【００３４】
３つの区画３１２，３１４，３１６は、横方向の大きさは同一であるが、縦方向では、中段の大きさが上および下の段とは異なる。中段の区画３１２の縦方向の大きさは、上段および下段の区画３１４，３１６の例えば２倍である。なお、２倍に限らず３倍や１．７倍等適宜の倍率であってよい。以下、横方向の大きさを長さともいい、縦方向の大きさを幅ともいう。
【００３５】
最大の幅を持つ中段の区画３１２は、人名表記欄３００の主要部分であリ、ここに、姓名が漢字で表記される。幅が狭い上段および下段の区画３１４，３１６は、人名表記欄３００の補助的部分であリ、それらには、それぞれ、姓名がアルファベットおよびかなで表記される。
【００３６】
表記は左書きであり、各区画において、左端の区分に姓が表記され、右端の区分に名が表記される。なお、中央の区分はミドルネーム(middle name)用であり、日本人の場合は概ね空白となる。
【００３７】
このように、同一人の、漢字形式、かな形式およびアルファベット形式の姓名を、同一表記欄の複数の区画を利用して表記するので、表記される情報量が多い割にはユーザーインターフェース上の占有面積が小さい。したがって、スペース(space)効率の良い人名表記を行うことができる。
【００３８】
また、漢字形式、かな形式およびアルファベット形式の姓名が同一欄に一括して表記されるので、ユーザーは、同一人の三通りの形式の姓名を一瞥で認識することができる。しかも、日本国における正規の姓名表記である漢字名が最も大きく表記され、参考的表記であるかな名およびアルファベット名が小さく表記されるので、国内での姓名表記の慣習に相応したものとなる。
【００３９】
区画３１２の右側には、インジケータ(indicator)３２２が設けられている。インジケータ３２２は、区画３１２の表記形式を示すものである。図３では、区画３１２の表記が漢字であることにより、「漢」が示されている。
【００４０】
インジケータ３２２の上および下には、スクロールボタン(scroll button)３２４，３２６がそれぞれ設けられている。スクロールボタン３２４，３２６は、それぞれ、上スクロールおよび下スクロール用のボタンである。
【００４１】
上スクロールを行うことにより、上段の区画３１４にあるアルファベット表記を中段の区画３１２に移動させることができ、下スクロールを行うことにより、下段の区画３１６にあるかな表記を中段の区画３１２に移動させることができる。これによって、所望の表記形式の姓名を、人名表記欄の主要部に表記することが可能となり、ユーザーの利便性が向上する。
【００４２】
上スクロールを行った状態を図５に示す。図５に示すように、アルファベット表記が中段の区画３１２に移動する。それに伴って、インジケータの表示は「ｅｎ」となり、アルファベット(英語)表記であることが示される。また、文字数に合わせて縦の区分線が移動する。
【００４３】
下スクロールを行った状態については図示を省略するが、かな表記が中段の区画３１２に移動しそれに伴って、インジケータの表示が「かな」となって、かな表記であることが示される。
【００４４】
文字入力は、中段の区画３１２について行われる。文字入力には操作部２０のキーボードが用いられる。キーボードの入力信号は、制御部１８の変換機能により、中段の区画３１２のモード(mode)に応じて、漢字、かなまたはアルファベットに変換される。
【００４５】
文字入力は、上段の区画３１４と下段の区画３１６に直接行えるようにしてもよい。その例を図６に示す。図６に示すように、ポインティングデバイスで上段の区画３１４を選択すると、区画３１４は幅が拡大して中段の区画３１２と同程度になる。この状態で文字入力を行うことにより、中段の区画３１２に入力するのと同じ視認性の良さで、文字入力を行うことができる。下段の区画３１６に入力する場合も同様である。
【００４６】
このようなユーザーインターフェースは、ＤＩＣＯＭ(Digital Imaging and Communications in Medicine)規格に準拠する。そして、複数の形式の人名は、ＤＩＣＯＭ規格に準拠して、下記のようなネームストリング(name string)を構成する。
【００４７】
Yokogawa^ichirou＝横河^一郎＝よこがわ^いちろう
これによって、同じ規格に準拠する他の医用機器との協調性を高めることができる。
以上、ユーザーインターフェースが超音波診断装置のユーザーインターフェースである例について説明したが、ユーザーインターフェースは超音波診断装置用に限らず、Ｘ線ＣＴ(Computed Tomography)装置やＭＲＩ(Magnetic Resonance Imaging)装置等の医用電子機器、あるいは、医療以外の分野の電子機器のユーザーインターフェースであってよい。また、日本人の姓名に限らず、中国人や韓国人あるは欧米人の姓名についても、統一的に取り扱うことが可能である。また、人名を横書きで表記する例を説明したが、表記は縦書きであってもよい。
【図面の簡単な説明】
【００４８】
【図１】本発明を実施するための最良の形態の一例の超音波診断装置のブロック図である。
【図２】画像処理部のブロック図である。
【図３】インターフェースの一例を示す図である。
【図４】人名表記の一例を示す図である。
【図５】人名表記の一例を示す図である。
【図６】人名表記の一例を示す図である。
【符号の説明】
【００４９】
１００ ： 超音波診断装置
２ ： 超音波プローブ
４ ： 被検体
６ ： 送受信部
１０ ： Ｂモード処理部
１２ ： ドプラ処理部
１４ ： 画像処理部
１６ ： 表示部
１８ ： 制御部
２０ ： 操作部
１４２ ： 入力データメモリ
１４４ ： スキャンコンバータ
１４６ ： 画像メモリ
１４８ ： プロセッサ
３００ ： 人名表記欄
３１２，３１４，３１６ ： 区画
３２２ ： インジケータ
３２４，３２６ ： スクロールボタン
【図１】
2007275335.tif 000003
【図２】
2007275335.tif 000004
【図４】
2007275335.tif 000005
【図５】
2007275335.tif 000006
【図６】
2007275335.tif 000007
【図３】
2007275335.tif 000008